(57)【要約】【課題】立体静止画像印刷物を簡単に製造することができる製造装置を提供する。【解決手段】３次元静止画像形成用静止画パターンを有する静止画シート３０に、静止画パターンに対応するレンズ形状４０ａを形成したフィルム４０を貼り合わせてなる立体静止画像印刷物５０を製造する製造装置１０は、表面に溝１１ａが形成された３Ｄローラー１１と、静止画シート３０とフィルム４０とを３Ｄローラー１１との間に挟み込む送りローラー１２と、３Ｄローラー１１を回転駆動させることにより静止画シート３０とフィルム４０とを送り出しつつ、静止画シート３０とフィルム４０とを接着するとともに、溝１１ａにより、フィルム４０にレンズ形状４０ａを形成して、立体静止画像印刷物５０を製造させる制御装置１６と、を有する。【選択図】図１
2011221302.tif 000002
【特許請求の範囲】
【請求項１】
３次元静止画像形成用静止画パターンを有する静止画シートに、前記静止画パターンに対応するレンズ形状を形成したフィルムを貼り合わせてなる立体静止画像印刷物を製造する装置において、
表面に凹部が形成された３Ｄローラーと、
前記静止画シートと前記フィルムとを前記３Ｄローラーとの間に挟み込む送りローラーと、
前記３Ｄローラーを回転駆動させることにより前記静止画シートと前記フィルムとを送り出しつつ、前記静止画シートと前記フィルムとを接着するとともに、前記凹部により、前記フィルムに前記レンズ形状を形成して、立体静止画像印刷物を製造させる制御装置と、を有することを特徴とする立体静止画像印刷物の製造装置。
【請求項２】
前記静止画シートの前記静止画パターンを検出し、前記静止画シートと前記３Ｄローラーの回転位置との同期を取る同期手段をさらに有することを特徴とする請求項１に記載の立体静止画像印刷物の製造装置。
【請求項３】
前記静止画シートに印刷された左右同期マークを検出し、前記静止画シートと前記３Ｄローラーの回転位置との同期を取る同期手段をさらに有することを特徴とする請求項１に記載の立体静止画像印刷物の製造装置。
【請求項４】
前記静止画シートと前記フィルムとを、前記３Ｄローラー及び前記送りローラーにより圧着または熱圧着することにより接着することを特徴とする請求項１〜３いずれか一項に記載の立体静止画像印刷物の製造装置。
【発明の詳細な説明】
【技術分野】
【０００１】
本発明は、立体静止画像印刷物の製造装置に関する。
【背景技術】
【０００２】
従来、絵や写真などの静止画を立体的に見えるようにした立体静止画像印刷物は、かまぼこ型のレンズが連続的に並べられて形成されたシート状のレンチキュラーレンズ（以下、「レンチキュラーシート」と呼ぶ）を、左右の眼に対応するように印刷した絵や写真の上に重ね合わせて構成されている（例えば、特許文献１参照）。
【先行技術文献】
【特許文献】
【０００３】
【特許文献１】特開平８−１９２３号公報
【発明の概要】
【発明が解決しようとする課題】
【０００４】
しかしながら、予めレンチキュラーレンズが形成されたレンチキュラーシートを絵や写真の上に重ね合わせる（接着する）ことにより立体静止画像印刷物を作成すると、温度や貼り合わせ時の張力等によりレンチキュラーシートが伸縮して、左右の静止画とレンチキュラーレンズとを正確に位置合わせすることが困難となる。
【０００５】
本発明はこのような課題に鑑みてなされたものであり、簡単に立体静止画像印刷物を製造することができる製造装置を提供することを目的とする。
【課題を解決するための手段】
【０００６】
前記課題を解決するために、本発明に係る立体静止画像印刷物の製造装置は、３次元静止画像形成用静止画パターンを有する静止画シートに、この静止画パターンに対応するレンズ形状を形成したフィルムを貼り合わせてなる立体静止画像印刷物を製造する装置であって、表面に凹部が形成された３Ｄローラーと、静止画シートとフィルムとを３Ｄローラーとの間に挟み込む送りローラーと、３Ｄローラーを回転駆動させることにより静止画シートとフィルムとを送り出しつつ、この静止画シートとフィルムとを接着するとともに、凹部により、フィルムにレンズ形状を形成して、立体静止画像印刷物を製造させる制御装置と、を有することを特徴とする。
【０００７】
このような立体静止画像印刷物の製造装置は、静止画シートの静止画パターンを検出し、この静止画シートと３Ｄローラーの回転位置との同期を取る同期手段をさらに有することが好ましい。
【０００８】
あるいは、このような立体静止画像印刷物の製造装置は、静止画シートに印刷された左右同期マークを検出し、この静止画シートと３Ｄローラーの回転位置との同期を取る同期手段をさらに有することが好ましい。
【０００９】
また、このような立体静止画像印刷物の製造装置は、静止画シートとフィルムとを、３Ｄローラー及び送りローラーにより圧着または熱圧着することにより接着することが好ましい。
【発明の効果】
【００１０】
本発明に係る立体静止画像印刷物の製造装置を以上のように構成すると、簡単に立体静止画像印刷物を製造することができる。
【図面の簡単な説明】
【００１１】
【図１】立体静止画像印刷部を説明するための説明図であって、（ａ）は側面図を示し、（ｂ）は平面図を示す。
【図２】立体静止画像印刷物の製造装置を上方から見たときの説明図である。
【図３】立体静止画像印刷物の製造装置を側方から見たときの説明図である。
【発明を実施するための形態】
【００１２】
以下、本発明の好ましい実施形態について図面を参照して説明する。まず、図１を用いて、本実施の形態に係る立体静止画像印刷物の製造装置（以下、単に「製造装置」と呼ぶ）で製造される立体静止画像印刷物について説明する。立体静止画像印刷物５０は、立体視用の静止画パターンが印刷された静止画シート３０と、かまぼこ型（半円柱型）のレンズ形状（レンチキュラーレンズ４０ａ）が連続的に並べられて形成されたフィルム４０と、から構成されている。ここで、静止画シート３０には、３次元静止画像形成用静止画パターンとして、同一の被写体を撮影した、左眼で見たときの左眼用画像及び右眼で見たときの右眼用画像のそれぞれが、所定の幅を有する帯状画像に分割され、これらの帯状画像が左眼用ライン３０Ｌ及び右眼用ライン３０Ｒとしてインターレース状に交互に配置されて印刷されている。また、個々のレンチキュラーレンズ４０ａは、一組の左眼用ライン３０Ｌ及び右眼用ライン３０Ｒに位置整合させて貼り付けられいてる。上述のようにレンチキュラーレンズ４０ａは、左右眼用ライン３０Ｌ，３０Ｒに沿ってかまぼこ状の形状をしているため、レンチキュラーレンズ４０ａの長手方向を上下にしてこの立体静止画像印刷物５０を見たときに、左眼は、レンチキュラーレンズ４０ａを介して左眼用ライン３０Ｌを観察することができ、右眼は、レンチキュラーレンズ４０ａを介して右眼用ライン３０Ｒを観察することができるので、上記被写体を立体視することができる。
【００１３】
このような立体静止画像印刷物５０を製造する製造装置１０は、図２及び図３に示すように、立体視用の画像（静止画パターン）が印刷された静止画シート３０の上に透明のフィルム４０を接着するとともに、このフィルム４０にレンズ形状（レンチキュラーレンズ４０ａ）を形成するものである。この製造装置１０は、３Ｄローラー１１と、送りローラー１２と、３Ｄローラー１１を回転駆動させるモータ１３と、このモータ１３の回転軸に取り付けられ、３Ｄローラー１１の回転方向の位置を検出するエンコーダ１４と、静止画シート３０に印刷された左右眼用ライン（静止画パターン）３０Ｌ，３０Ｒの３Ｄローラー１１に対する相対位置を検出する位置検出器１５と、エンコーダ１４及び位置検出器１５からの検出値に基づいてモータ１４の作動を制御する制御装置１６と、を有して構成される。
【００１４】
３Ｄローラー１１と送りローラ１２とは、円筒状に形成されており、その円筒軸が上下に平行に並び、その円周面が近接して配置されている。この３Ｄローラー１１と送りローラー１２との接触部に静止画シート３０とフィルム４０とを重ね合わせて挿入し、３Ｄローラ１１を、モータ１３によりその円筒軸を中心に正回転させると（図３において反時計回りに回転させると）、これらのローラー１１，１２により静止画シート３０及びフィルム４０が挟持されて図２及び図３における右方向に送り出すことができる。なお、３Ｄローラ−１１とともに静止画シート３０及びフィルム４０を挟持する送りローラー１２は、図３においては、３Ｄローラー１１の回転に合わせて時計回りに回転する。ここで、３Ｄローラー１１の円周面には、回転軸方向に延びる凹状の溝１１ａ（凹部）が円周方向に連続して形成されている。そのため、静止画シート３０及びフィルム４０が送り出されるときに、静止画シート３０にフィルム４０が圧着される（接着される）とともに、このフィルム４０の表面に、溝１１ａの形を有して上下に方向に延びる凸状部分、すなわち、レンチキュラーレンズ４０ａが形成されて、立体静止画像印刷物５０が製造される。
【００１５】
また、この製造装置１０には、静止画シート３０と３Ｄローラー１１の回転位置との同期をとる同期手段として、上述の位置検出器１５、エンコーダ１４及び制御装置１６が用いられる。具体的には、静止画シート３０には、立体視用の画像とともに、左右眼用ライン３０Ｌ，３０Ｒの位置を検出するための左右同期マーク３０ａが印刷されている。この左右同期マーク３０ａは、例えば、左眼用ライン３０Ｌと右眼用ライン３０Ｒとの境界部（レンチキュラーレンズ４０ａの中心部が形成される位置）や、右眼用ライン３０Ｒと左眼用ライン３０Ｌとの境界部（レンチキュラーレンズ４０ａの左右方向端部が形成される位置）を検出できるように印刷されている。この製造装置１０において、３Ｄ及び送りローラー１１，１２に対する位置検出器１５の相対位置は既知であるため、制御装置１６は、位置検出器１５で検出した左右同期マーク３０ａにモータ１３による３Ｄローラー１１の回転を同期させる、すなわち、左右同期マーク３０ａの位置から３Ｄ及び送りローラー１１，１２で挟持されたときの静止画シート３０上の左右眼用ライン３０Ｌ，３０Ｒの位置を算出し、エンコーダ１４から出力される３Ｄローラー１１の位置により、溝１１ａをシート５０に押し付けたときに形成されるレンチキュラーレンズ４０ａが、左右眼用ライン３０Ｌ，３０Ｒと位置整合するように制御する。
【００１６】
立体静止画像印刷物５０の製造装置１０を以上のように構成すると、レンチキュラーレンズ４０ａが形成されるのは、静止画シート３０上にフィルム４０を接着するときであるため、温度等の周囲環境の影響を受けにくく、左右眼用ライン３０Ｌ，３０Ｒに対して、このレンチキュラーレンズ４０ａの位置合わせ精度を向上させることができる。また、静止画シート３０とフィルム４０との接着と同時にレンチキュラーレンズ４０ａの形成を行うことができるため、製造工程を簡素化し、製造効率を向上させることができる。
【００１７】
なお、この製造装置１０の側方に、静止画シート３０に対して立体視用画像及び左右同期マークの印刷を行う印刷装置２０を配置し、この印刷装置２０での静止画シート３０に対する印刷と、製造装置２０による立体静止画像印刷物５０の製造とを連続して行うように構成すると、更に製造効率を向上させることができる。このような構成とすると、印刷装置２０には、立体視用の画像の印刷と、左右同期マーク３０ａの印刷とを行うソフトウェアを追加し、さらに上記製造装置１０を設置することで、低価格で、かつ、簡単に立体静止画像印刷物５０を製造するシステムを提供することができる。
【００１８】
また、左右眼用ライン３０Ｌ，３０Ｒと溝１１ａとの位置合わせは、３Ｄ及び送りローラー１１，１２に静止画シート３０及びフィルム４０を挿入するときに行えば良いため、左右同期マーク３０ａは、静止画シート３０の先端部分（３Ｄ及び送りローラー１１，１２に挿入される側の先端部分）にだけ形成されていても良い。また、左右同期マーク３０ａの印刷位置は、図２に示すような表面側下端部に限定されることはなく、静止画シート３０の表面または裏面に関わらず、位置検出器１５で検出できる位置ならばどこに形成されていても良い。
【００１９】
また、３Ｄ及び送りローラ１１，１２から送り出された立体静止画像印刷物５０側にも位置検出器１７を設けることにより、フィルム４０上に形成されたレンチキュラーレンズ４０ａと左右眼用ライン３０Ｌ，３０Ｒとが位置整合しているかを検出し、制御装置１６に出力することができる。この位置検出器１７でレンチキュラーレンズ４０ａと左右眼用ライン３０Ｌ，３０Ｒとの位置がずれていることが検出された場合は、制御装置４０により、再度位置合わせを行わせることができる。
【００２０】
また、以上の説明では、フィルム４０に対して、搬送方向に直交する方向に延びるかまぼこ型のレンチキュラーレンズ４０ａを形成した場合について説明したが、フィルム４０に形成されるレンズ形状として、半球状のレンズを形成するように構成しても良い。この場合は、半球状のレンズにすることにより、立体静止画像印刷物５０対する視線が、左右方向にずれた場合だけでなく、上下方向にずれても、立体視することが可能になるように半球状のレンズに合わせたパターンに静止画パターンを印刷すれば良い。また、半球状レンズの形状は、半球のハニカム形状（六角形の形状）に形成しても良い。
【００２１】
また、静止画シート３０に対するフィルム４０の接着は、圧着だけでなく、熱圧着しても良い。また、モータ１３としてステッピングモータを用いた場合は、その回転軸の回転方向の位置を取得することが可能であるため、同期手段としてのエンコーダ１４は不要である。さらに、左右眼用ライン３０Ｌ，３０Ｒとして印刷されている画像（静止画パターン）から、これらの境界を判別することができる場合には、左右同期マーク３０ａを印刷しなくても位置検出器１５で静止画シート３０の位置を検出することができる。
【符号の説明】
【００２２】
１０  立体静止画像印刷部の製造装置    １１  ３Ｄローラー    １１ａ  溝（凹部）
１２  送りローラー    １５  位置検出器（同期手段）
１６  制御装置（同期手段）    ３０  静止画シート    ３０ａ  左右同期マーク
４０  フィルム    ５０  立体静止画像印刷物
【図１】
2011221302.tif 000003
【図２】
2011221302.tif 000004
【図３】
2011221302.tif 000005